(57)【要約】    【課題】      携帯端末所有者が危険に遭遇した場合、危険に遭遇していることを知らせて周囲の人に救助を求めることができ、周囲の端末に緊急情報を残し、万が一救助が行えなかった場合に情報を残すこと。    【解決手段】  携帯端末１００，１２０は、緊急時に緊急モードを起動するための緊急ボタン／表示部１０９、携帯電話通信部１０３とは独立して通信を行う緊急送信部１１０及び緊急受信部１１１を備える。緊急ボタン／表示部１０９が操作されると、制御部１０１が所有者の個人情報を含む緊急情報を緊急送信部１１０により送信し、周囲の端末の緊急受信部１１１が、この緊急情報を表示装置１０６に表示し、また記憶部１０２に記憶する。  【選択図】      図１
2006295295.tif 000002
【特許請求の範囲】
【請求項１】
緊急時に送信する緊急情報を記憶する記憶手段と、
緊急モードを起動する起動手段と、
前記緊急モードの起動により基地局を経由しないで他の端末装置に前記緊急情報を送信する送信手段と
を備えることを特徴とする端末装置。
【請求項２】
前記送信手段は、送信電力情報を送信し、一定時間以内に他の端末装置からの問合せがない場合、送信電力をより大きくして前記緊急情報を送信することを特徴とする請求項１記載の端末装置。
【請求項３】
緊急時に送信される緊急情報を受信する受信手段と、
前記緊急情報を受信したことを報知する報知手段と、
受信した前記緊急情報を表示する表示手段と、
受信した前記緊急情報を記憶する記憶手段と
を備えることを特徴とする端末装置。
【請求項４】
前記緊急情報を受信した時の通信遅延に基づいて、前記緊急情報を送信した端末装置までの距離又は該端末の移動速度を求める算出手段と、
算出した前記距離又は前記移動速度を前記表示手段に表示する制御を行う制御手段とを備えることを特徴とする請求項３記載の端末装置。
【請求項５】
前記緊急情報を複数の端末装置から受信した場合、前記複数の端末装置に問合せを送信する送信手段を備え、
前記制御手段は、前記問合せに対する端末装置の応答時間と受信電力に基づいて、救助する端末装置を決定することを特徴とする請求項３記載の端末装置。
【請求項６】
前記制御手段は、受信した端末が加入する通信回線を通じて救助センタに前記緊急情報を送る制御を行うことを特徴とする請求項４記載の端末装置。
【請求項７】
前記緊急情報は、所有者の個人情報に関連する情報を含むことを特徴とする請求項１又は請求項３記載の端末装置。
【請求項８】
前記送信手段又は前記受信手段は、キャリア以外の電波を送受信して無線通信を行うことを特徴とする請求項１又は請求項３記載の端末装置。
【請求項９】
互いに通信可能な第１端末装置と第２端末装置とを備え、
前記第１端末装置は、
緊急時に送信する緊急情報を記憶する記憶手段と、
緊急モードを起動する起動手段と、
前記緊急モードの起動により基地局を経由しないで前記第２端末装置に前記緊急情報を送信する送信手段とを備え、
前記第２端末装置は、
前記緊急情報を受信する受信手段と、
前記緊急情報を受信したことを報知する報知手段と、
受信した前記緊急情報を表示する表示手段と、
受信した前記緊急情報を記憶する記憶手段と
を備えることを特徴とする緊急通知システム。
【発明の詳細な説明】
【技術分野】
【０００１】
本発明は、緊急事態が発生した時に通知を行う端末装置及び緊急通知システムに関する。
【背景技術】
【０００２】
火災、水害、交通事故、その他の緊急事態が発生したとき、これらを素早く正確に所轄の官庁に連絡したり、周りの人に知らせたりする緊急連絡システムがある。
【０００３】
例えば、特許文献１に記載されている緊急連絡システムがある。
【０００４】
図１２は、特許文献１に記載された緊急連絡システムの概略構成を示す図、図１３は、そのシーケンスの概略を示す図である。
【０００５】
図１２において、緊急連絡システム１０は、救助を求める人が携帯する携帯電話端末１１、基地局１２、公衆網１３、救助施設１４、自宅１５及び警察署１６から構成される。
【０００６】
携帯電話端末１１が発信を行うと、基地局１２及び公衆網１３を通して救助施設（緊急連絡センタ）１４、警察署１６、又は自宅１５に通知され、それらから救助する人間が出動することになる。図１３に示すように、救助を求める人が携帯する携帯電話端末１１から基地局１２を経由して救助施設１４に救助の要請が通知され、救助施設１４で救助の認識（ステップＳ１）を行ってから救助に移動する。
【０００７】
また、別の緊急連絡システムとしては、特許文献２に記載された携帯用防犯装置がある。
【０００８】
図１４は、特許文献２に記載された緊急警報付携帯電話端末の概略構成を示す図である。
【０００９】
図１４において、携帯電話端末２０は、送受信部２１、電源２２、スイッチ２３、及び警報発音部２４を備える。危険に遭遇した場合、携帯電話端末２０のスイッチ２３をＯＮにし、これにより警報発音部２４が警報を発し、周囲の人に救助を求めることができる。
【特許文献１】特開２００３−３４６２５８号公報
【特許文献２】特開２００１−１０９９７６号公報
【発明の開示】
【発明が解決しようとする課題】
【００１０】
しかしながら、特許文献１記載の緊急連絡システムでは、火災や水害などの災害の場合には有効に機能するものの、傷害事件や誘拐事件などの場合、携帯電話端末１１を所有する人と救助施設（緊急連絡センタ）１４又は警察署１６、若しくは自宅１５が遠い場合、救助する人間が到着した時点では、携帯端末１１の所有者はすでに被害を受けている、あるいは誘拐されている可能性がある。
【００１１】
また、特許文献２記載の防犯装置では、スイッチ２３が入ると警報発音部２４が鳴るので、周辺に人がいれば携帯電話端末２０の所有者の危険を知らせることができるが、携帯電話端末２０の周辺に人がいない場合や人が家にいて警報が聞こえない場合には、端末所有者が危険に遭遇したこと自体が誰にも分からないという課題がある。
【００１２】
本発明は、かかる点に鑑みてなされたものであり、携帯端末所有者が危険に遭遇した場合、危険に遭遇していることを知らせて周囲の人に救助を求めることができ、周囲の端末に緊急情報を残し、万が一救助が行えなかった場合に情報を残すことができる端末装置及び緊急通知システムを提供することを目的とする。
【課題を解決するための手段】
【００１３】
本発明の端末装置は、緊急時に送信する緊急情報を記憶する記憶手段と、緊急モードを起動する起動手段と、前記緊急モードの起動により基地局を経由しないで他の端末装置に前記緊急情報を送信する送信手段とを備える構成を採る。
【００１４】
本発明の端末装置は、緊急時に送信される緊急情報を受信する受信手段と、前記緊急情報を受信したことを報知する報知手段と、受信した前記緊急情報を表示する表示手段と、受信した前記緊急情報を記憶する記憶手段とを備える構成を採る。
【００１５】
本発明の緊急通知システムは、互いに通信可能な第１端末装置と第２端末装置とを備え、前記第１端末装置は、緊急時に送信する緊急情報を記憶する記憶手段と、緊急モードを起動する起動手段と、前記緊急モードの起動により基地局を経由しないで前記第２端末装置に前記緊急情報を送信する送信手段とを備え、前記第２端末装置は、前記緊急情報を受信する受信手段と、前記緊急情報を受信したことを報知する報知手段と、受信した前記緊急情報を表示する表示手段と、受信した前記緊急情報を記憶する記憶手段とを備える構成を採る。
【発明の効果】
【００１６】
本発明によれば、緊急事態が発生し連絡した場合に、救助の到着の遅れを防止することができ、万が一救助できなかった場合でも周辺の端末装置に通知され、記憶された緊急情報を元に事件の解決を容易にすることができる。
【発明を実施するための最良の形態】
【００１７】
以下、本発明の実施の形態について図面を参照して詳細に説明する。
【００１８】
（実施の形態１）
図１は、本発明の実施の形態１に係る緊急通知システムの端末装置の構成を示すブロック図である。本実施の形態は緊急通知システムを構成する端末装置に携帯電話機を適用した例である。
【００１９】
図１において、１００は救助を求める人が携帯する携帯端末、１２０は携帯端末１００からの緊急通知を受ける周辺の携帯端末である。携帯端末１００と携帯端末１２０は、同一構成をとるため対応する構成要素には同一番号を付している。
【００２０】
携帯端末１００，１２０は、ＦＷＡ（Fixed Wireless Access）端末のような、使用場所を移動することが可能な無線通信機器であり、例えば、携帯電話機／ＰＨＳ（Personal Handy-Phone System）や携帯情報端末（以下、ＰＤＡ（Personal Digital Assistants）という）などの携帯端末、無線ＬＡＮ機能を持つ携帯ノート型パソコン、無線ＬＡＮ機能を持つ接続端末も含まれる。
【００２１】
携帯端末１００，１２０は、制御部１０１、記憶部１０２、アンテナ１０３ａを有する携帯電話通信部１０３、受信情報記憶部１０４、キー入力部１０５、表示装置１０６、スピーカ１０７、バイブレータ１０８、緊急ボタン／表示部１０９、アンテナ１１０ａを有する緊急送信部１１０及び緊急受信部１１１を備えて構成される。
【００２２】
制御部１０１は、ＣＰＵ等からなり装置全体の制御を行うとともに、緊急ボタン／表示部１０９から通知を受けて緊急モードを起動する。記憶部１０２は、緊急モード時に他の携帯端末に知らせる情報を記憶する。記憶部１０２に記憶される情報としては、携帯番号、名前、年齢、特徴、顔写真などがある。キー入力部１０５は、データ入力や各種機能の指示を行うためのキーボード、専用のキーボタンである。また、ＧＵＩ（Graphical User Interface）ボタン及びタッチパネル等を備えることも可能である。表示装置１０６は、ＬＣＤディスプレイ及び各ドライバ等で構成され、受信した情報の内容等を表示する。
【００２３】
緊急ボタン／表示部１０９は、緊急時に緊急モードを起動するための緊急ボタンとその表示部である。この表示部は、例えばＬＥＤを用いた緊急メッセージを表示する。なお、緊急ボタン／表示部１０９は、誤って押すことがないように、ボタンにカバーをつけることも可能である。
【００２４】
緊急送信部１１０及び緊急受信部１１１は、緊急モード時に携帯電話通信部１０３とは独立して通信を行うもので、具体的には、キャリア以外のローカルネットワークにアクセスできる無線ＬＡＮやBluetooth（登録商標）、ＵＷＢ（Ultra Wideband）等の無線制御部である。無線ＬＡＮは、無線ＬＡＮ機能を持つ携帯ノート型パソコン、ＰＤＡなどの携帯情報端末に幅広く用いられている。より低消費電力が要求される携帯電話機では、Bluetooth，ＵＷＢなどの小電力近距離双方向無線通信方式が好ましい。また、無線ＬＡＮやＵＷＢほどの帯域は必要ではない。緊急送信部１１０は、制御部１０１からの送信指示を受けて緊急送信を行う。緊急受信部１１１は、他の携帯端末の緊急モード送信を受信する。緊急受信部１１１が、受信する場合、通常のキャリア通信時の受信のように基地局を介在せずに、端末同士でローカルに通信を行う。
【００２５】
以下、上述のように構成された緊急通知システムの携帯端末の動作について説明する。
【００２６】
まず、緊急事態に陥った携帯端末１００の所有者が緊急ボタン／表示部１０９を押し下げると、制御部１０１は携帯端末１００を緊急モードにする。携帯端末１００が、緊急モードになると、制御部１０１は記憶部１０２から携帯番号、名前、年齢、特徴、顔写真等の情報を取り出し、緊急情報として、緊急送信部１１０を通して他の携帯電話に送信する。ここでは、携帯端末１２０が、携帯端末１００からの緊急通知を受ける携帯端末であるとする。
【００２７】
緊急情報を受信した携帯端末１２０は、緊急受信部１１１を通して、制御部１０１に取り込む。緊急情報を受信した制御部１０１は、緊急ボタン／表示部１０９に表示を行うとともに、スピーカ１０７を鳴らし、バイブレータ１０８を動かす。さらに、制御部１０１は、携帯番号、名前、年齢、特徴、顔写真等の情報を表示装置１０６に出力すると共に受信情報記憶部１０４に出力する。また、制御部１０１は、内蔵した時計から緊急情報を受信した時間を取得し、表示装置１０６及び受信情報記憶部１０４に出力する。表示装置１０６は、上記緊急情報を受信した時間を表示する。キー入力部１０５を使うことにより、表示装置１０６に表示される表示は、切替えやスクロールなどが可能である。受信情報記憶部１０４は、制御部１０１から入力した情報を受信した時間と共に記憶する。
【００２８】
上記救助シーケンスを図２を用いて説明する。図２は、携帯端末１００と携帯端末１２０の制御シーケンスを示す図である。
【００２９】
図２において、救助を求める携帯端末１００が周辺の携帯端末１２０に救助を要請する。周辺の携帯端末１２０は、救助の認識（ステップＳ１）を行い、救助に駆けつける。また、この救助の流れを図３を用いて説明する。
【００３０】
図３は、携帯端末１００及び携帯端末１２０の救助の流れを示すフローチャートである。
【００３１】
図３において、緊急状態に陥った携帯端末１００が緊急モードを起動する（ステップＳ１１）。すると、携帯端末１００の制御部１０１が、緊急通知及び緊急情報を緊急送信部１１０から送信する（ステップＳ１２）。すると、周囲の携帯端末１２０は、通常状態（ステップＳ１３）から、携帯端末１２０の緊急受信部１１１が緊急通知及び緊急情報を受信する（ステップＳ１４）。これを受けて、携帯端末１２０の制御部１０１が緊急通知及び緊急情報を認識し、緊急ボタン／表示部１０９の緊急表示、バイブレータ１０８の起動、スピーカ１０７の鳴動、緊急情報の表示、及び緊急情報の記憶を行う（ステップＳ１５）。
【００３２】
以上のように、実施の形態１によれば、緊急ボタン／表示部１０９が操作されると、制御部１０１が所有者の個人情報を含む緊急情報を緊急送信部１１０により送信し、周囲の端末の緊急受信部１１１が、この緊急情報を表示装置１０６に表示し、また記憶部１０２に記憶するので、周囲の人が家屋内にいる場合であっても救助を求めることができ、救助ができなかった場合にどういう緊急状態が生じていたかを後で確認することができる。
【００３３】
図１では、２つの携帯端末を図示しているが、任意の数の携帯端末で構成されることはいうまでもない。携帯端末１００，１２０は、キャリア以外のネットワークに接続可能な端末装置であればよく、上記携帯電話機に限らず、ＰＨＳやＰＤＡなどの携帯情報端末でもよい。また、ＰＣＭＣＩＡカード，ＣＦカード形状のBluetooth接続装置など、形態は限定されない。さらに、キャリア以外のローカルネットワークにアクセスできるシステムとしてBluetooth（登録商標）には限定されず、ＵＷＢや無線ＬＡＮでもよい。また、ＦＷＡ（Fixed Wireless Access）端末のような、使用場所を移動することが可能な無線通信端末も含まれる。
【００３４】
（実施の形態２）
図４は、本発明の実施の形態２に係る携帯端末の距離と移動速度を説明する図である。
【００３５】
図４において、実施の形態２の携帯端末２００，２２０は、図１の携帯端末１００，１２０の制御部１０１が、緊急状態に陥った端末までの距離と速度を計算する点が異なる。携帯端末２００，２２０の制御部１０１は、緊急モードの通知を受けた時、緊急モードにある端末に送信し、応答を受信した時の通信遅延により、緊急モードにある端末の距離を計算し、緊急モードにある端末までの距離と移動速度を緊急情報として表示を指示する。
【００３６】
以下、上述のように構成された緊急通知システムの携帯端末の動作について説明する。
【００３７】
Ｘ地点２３１において、緊急モードを起動した携帯端末２００は付近にいる携帯端末２２０に緊急モードを通知する。携帯端末２２０は携帯端末２００に問合せを行い、その応答の伝播遅延ｘから携帯端末２００までの距離を計算し計算結果を表示する。次に、携帯端末２２０が携帯端末２００に問合せを行い、携帯端末２００から応答が帰ってきたのがｔ１時間後とする。この時の伝播遅延ｙから携帯端末２００がいるＹ地点２３２までの距離を計算して表示するとともに、ｘ、ｙ、ｔ１を使って移動速度を計算して表示する。同様に、次に携帯端末２２０が携帯端末２００に問合せを行い、応答が帰ってきたのがｔ２時間後とする。この時の伝播遅延ｚから携帯端末２００がいるＺ地点２３３までの距離を計算して表示するとともに、ｙ、ｚ、ｔ２を使って移動速度を計算して表示する。これにより、携帯端末２２０の表示装置１０６には、「緊急端末まで約○○ｍです。緊急端末が時速＊＊で近づいています。」が表示される。
【００３８】
実施の形態２の制御シーケンスを図５を用いて説明する。
【００３９】
図５は、携帯端末２００と携帯端末２２０の動作を示すフローチャートである。
【００４０】
図５において、緊急状態に陥った携帯端末が緊急モードを起動する（ステップＳ２１）。すると、制御部１０１が緊急通知及び緊急情報を緊急送信部１１０から送信（ステップＳ２２）し、問合せ受信待ち（ステップＳ２３）になる。そこで、周囲の端末は通常状態（ステップＳ２６）から緊急受信部１１１で緊急通知及び緊急情報を受信（ステップＳ２７）に移行し、その後、制御部１０１が緊急通知及び緊急情報を認識し、問合せを緊急送信部１１０から送信（ステップＳ２８）した後、制御部１０１が緊急通知及び緊急情報を認識し緊急表示の表示、バイブレータ１０８の起動、スピーカ１０７の鳴動、緊急情報の表示、緊急情報の記憶を行い（ステップＳ２９）、応答受信待ち（ステップＳ３０）になる。すると、緊急状態の端末は緊急受信部１１１で問合せを受信（ステップＳ２４）し、制御部１０１が問合せを認識し、応答を緊急送信部１１０から送信（ステップＳ２５）する。すると、問合せを行った周囲の端末は緊急受信部１１１で応答を受信し（ステップＳ３１）、制御部１０１で緊急情報を認識し、問合せ送信から応答受信までの時間から緊急モードの端末までの距離を計算する（ステップＳ３２）。さらに、緊急モードの端末までの距離を緊急情報として表示して（ステップＳ３３）、問合せを緊急送信部１１０から送信し（ステップＳ３４）、応答の受信を待つ（ステップＳ３５）。そこで、緊急状態の端末は緊急受信部１１１で問合せを受信し（ステップＳ２４）、制御部１０１が問合せを認識し、応答を緊急送信部１１０から送信する（ステップＳ２５）。すると、周囲の端末は緊急受信部１１１で応答を受信し（ステップＳ３６）、制御部１０１で緊急情報を認識し、問合せ送信から応答受信までの時間から緊急モードの端末までの距離を計算し（ステップＳ３７）、緊急モードの端末までの距離を緊急情報として表示する（ステップＳ３８）。さらに、緊急モード端末までの距離の変化分と応答の時間差から速度を計算し（ステップＳ３９）、緊急モードの端末の速度を緊急情報として表示する（ステップＳ４０）。
【００４１】
以上のように、実施の形態２によれば、緊急通知を受けた携帯端末２２０の制御部１０１が問合せを緊急モードの携帯端末２００に送信し、緊急モードの携帯端末２００がこれに対して固定遅延で応答を送信することを繰り返すことにより、緊急通知を受けた携帯端末２２０は無線遅延と時間から緊急モードの携帯端末２００の距離と移動速度を計算し表示することで、救助者は救助すべき対象の携帯端末２００までの距離と移動速度を認識することができる。これにより、緊急事態に陥った携帯端末の所有者から緊急通知を受けた場合、その携帯端末までの距離と移動速度の表示を行うことで迅速かつ有効な救助が可能になる。
【００４２】
（実施の形態３）
図６は、本発明の実施の形態３に係る携帯端末の緊急状態の優先表示を説明する図である。
【００４３】
図６において、実施の形態３の携帯端末３００，３２０，３３０は、図１の携帯端末１００，１２０の制御部１０１が、複数の端末から緊急通知を受けた場合、各端末に問合せを行い、戻ってきた応答時間と受信電力から、救助する端末を決め、その端末から送信された緊急情報を表示する制御を行う点が異なる。
【００４４】
以下、上述のように構成された緊急通知システムの携帯端末の動作について説明する。
【００４５】
緊急状態に陥った携帯端末が携帯端末３００と携帯端末３３０の２台あり、これらの緊急通知及び緊急情報を携帯端末３２０が受信した場合を想定する。携帯端末３２０は、問合せに対する携帯端末３００と携帯端末３３０の応答の伝播遅延時間と受信電力から、表示する緊急情報を優先判断する。この制御シーケンスを図７を用いて説明する。
【００４６】
図７は、携帯端末３２０と携帯端末３００，３３０の制御シーケンスを示す図である。
【００４７】
まず、携帯端末３３０（端末Ｙ）が緊急通知Ｙを行う。すると、周辺の携帯端末３２０は緊急通知Ｙを受信し、問合せＹを送信する（ステップＳ４１）。次に、携帯端末３００が緊急通知Ｘを行う。すると、周辺の携帯端末３２０は緊急通知Ｘを受信し、問合せＸを送信する（ステップＳ４２）。一方、問合せＹを受信した携帯端末３３０（端末Ｙ）は、応答と緊急情報を送信する（ステップＳ４３）。また、問合せＸを受信した携帯端末３００（端末Ｘ）は、応答と緊急情報を送信する（ステップＳ４４）。携帯端末３２０は、携帯端末３００（端末Ｘ）と携帯端末３３０（端末Ｙ）からの応答と緊急情報を受信する。そして、それぞれの応答時間から、携帯端末３００（端末Ｘ）までの距離と携帯端末３３０（端末Ｙ）までの距離を計算し比較する（ステップＳ４５）。また、それぞれの応答の受信電力を比較する（ステップＳ４６）。これらの比較結果により、携帯端末３００（端末Ｘ）が近いと判断し、携帯端末３００（端末Ｘ）の緊急情報を表示する（ステップＳ４７）。
【００４８】
以上のように、実施の形態３によれば、複数の緊急端末３００，３３０から緊急通知を受けた場合、各携帯端末３００，３３０までの無線遅延を調べ、一番近い緊急端末の緊急情報を優先して表示することで、適切な救助の優先順位を決定することができ、救助の実効を図ることができる。
【００４９】
（実施の形態４）
図８は、本発明の実施の形態４に係る携帯端末の送信電力制御を説明する図である。
【００５０】
図８において、実施の形態４の携帯端末４００，４２０は、図１の携帯端末１００，１２０の制御部１０１が、送信電力情報を含む緊急通知を行い、一定時間以内に他の端末からの問合せがないと送信電力を大きくして緊急通知を再送する制御と、緊急通知に含まれた送信電力情報の電力で問合せ送信を行う制御とを行う点が異なる。
【００５１】
以下、上述のように構成された緊急通知システムの携帯端末の動作について説明する。
【００５２】
図８（ａ）に示すように、携帯端末４００が緊急状態に陥り、送信電力Ｐ１で緊急通知を送信した場合を想定する。一番近い周辺の携帯端末４２０に電波が届かなかったため、一定時間Ｔを過ぎても携帯端末４００は応答を得られない。そこで、図８（ｂ）に示すように、携帯端末４００は、送信電力Ｐ１よりも送信電力が大きい送信電力Ｐ２で緊急通知を送信する。送信電力Ｐ２は送信電力Ｐ１よりも送信電力が大きいので、携帯端末４２０は緊急通知を受信することができる。緊急通知を受信した携帯端末４２０は、緊急通知に含まれる送信電力Ｐ２で携帯端末４００に対する問合せを送信する。これらの制御シーケンスを図９を用いて説明する。
【００５３】
図９は、携帯端末４００と携帯端末４２０の制御シーケンスを示す図である。
【００５４】
図９において、緊急状態に陥った携帯端末４００は、送信電力Ｐ１で緊急通知を送信する。緊急通知の中には送信電力Ｐ１の情報を含む（ステップＳ５１）。しかし、送信電力が弱いため、周辺の端末に緊急通知が届かない（ステップＳ５２）。携帯端末４００は、一定時間Ｔの間は周辺の端末からの問合せを待つ（ステップＳ５３）。その後、携帯端末４００は、送信電力Ｐ２で緊急通知を送信する。緊急通知の中には送信電力Ｐ２の情報を含む（ステップＳ５４）。すると、周辺にいた携帯端末４２０は緊急通知を受信し（ステップＳ５５）、問合せを送信電力Ｐ２で送信する（ステップＳ５６）。そこで、携帯端末４００は、問合せを受信し（ステップＳ５７）、送信電力をＰ２に固定して応答として緊急情報を送信する（ステップＳ５８）。周辺の携帯端末４２０は、緊急情報を受信し、制御部１０１が緊急情報を認識し、緊急表示の表示、バイブレータ１０８の起動、スピーカ１０７の鳴動、緊急情報の表示、緊急情報の記憶の各制御を行う（ステップＳ５９）。
【００５５】
図１０は、携帯端末４００と携帯端末４２０の動作を示すフローチャートである。
【００５６】
緊急状態に陥った携帯端末４００は、救助を求める人により緊急ボタン／表示部１０９が操作されて緊急モードが起動される（ステップＳ６１）。すると、制御部１０１が送信電力情報を含む緊急通知を緊急送信部１１０から送信電力Ｐ１で送信し（ステップＳ６２）、問合せ受信待ちを行う（ステップＳ６３）。一定時間Ｔの間問合せ受信待ちを行い（ステップＳ６４）、問合せ受信がなければ（ステップＳ６５）、制御部１０１が送信電力Ｐ２を含む緊急通知を緊急送信部１１０から送信電力Ｐ２で送信し（ステップＳ６６）、問合せ受信待ちを行う（ステップＳ６７）。一定時間Ｔの間問合せ受信待ちを行い（ステップＳ６８）、問合せ受信がなければ（ステップＳ６９）、さらに一定時間Ｔの間問合せ受信待ちを行う（ステップＳ６８）。緊急受信部１１１で問合せ受信ができれば（ステップＳ７０）、制御部１０１が問合せを認識し、応答として緊急情報を緊急送信部１１０から送信する（ステップＳ７１）。
【００５７】
一方、周囲の携帯端末４２０は、通常状態にあるとき（ステップＳ８１）、緊急受信部１１１で緊急通知を受信すると（ステップＳ８２）、制御部１０１が緊急通知を認識し、問合せを緊急送信部１１０から受信した送信電力情報の値で送信する（ステップＳ８３）。さらに制御部１０１は、緊急通知を認識し、緊急表示の表示、バイブレータ１０８の起動、スピーカ１０７の鳴動を行い（ステップＳ８４）、応答受信待ちを行う（ステップＳ８５）。緊急受信部１１１が応答を受信すると（ステップＳ８６）、制御部１０１は緊急情報の記憶及び緊急情報の表示を行う（ステップＳ８７）。制御部１０１は、問合せ送信から応答受信までの時間から緊急モードの端末までの距離を計算し（ステップＳ８８）、緊急情報として表示する（ステップＳ８９）。その後、制御部１０１は、問合せ要求を緊急送信部１１０から送信し（ステップＳ９０）、応答受信を待つ（ステップＳ９１）。緊急受信部１１１が応答を受信すると（ステップＳ９２）、制御部１０１は緊急情報を認識し、問合せ送信から応答受信までの時間から緊急モードの端末までの距離を計算する（ステップＳ９３）。そして、緊急モード端末までの距離を緊急情報として表示し（ステップＳ９４）、緊急モード端末までの距離の変化分と時間から速度を計算し（ステップＳ９５）、緊急モード端末の速度を緊急情報として表示（ステップＳ９６）してステップＳ９０に戻る。
【００５８】
以上のように、実施の形態４によれば、緊急事態に陥った携帯端末４００が緊急通知を送信する場合、最初に送信電力を小さくして、応答がなければ応答があるまで送信電力を上げることにより、緊急通知の送信電力を最低限に抑えることができ、送信による電力の消費を最小限に抑えることができる。また、緊急事態に陥った携帯端末４００が、緊急情報の中に送信電力値を入れて応答する端末に送信電力を教えることで、応答する端末にとって送信電力を最低限に抑えることができる。
【００５９】
（実施の形態５）
図１１は、本発明の実施の形態５に係る携帯端末を用いた緊急通知システムの構成を示す図である。
【００６０】
図１１において、実施の形態５の救助を求める携帯端末５００は、前記携帯端末１００，２００，３００，４００のいずれであってもよく、周囲の携帯端末５２０，５３０，５４０，５５０は、前記携帯端末１２０，２２０，３２０，３３０，４２０のいずれであってもよい。また、本緊急連絡システム６００は、基地局６２０、公衆網６３０、救助センタ６４０、自宅６５０、及び警察署６６０を備える。
【００６１】
実施の形態５の携帯端末５００，５２０は、制御部１０１が、緊急モードの通知を受けた携帯端末が、緊急モードにある携帯端末からの緊急情報を携帯電話の基地局を経由して公衆回線を通じて救助センタに送る制御を行う点が異なる。
【００６２】
以下、上述のように構成された緊急通知システムの動作について説明する。
【００６３】
携帯端末５００が緊急状態に陥ると、携帯端末５００は周辺に緊急通知及び緊急情報を発信する。すると、周辺にいる携帯端末５２０、携帯端末５３０、携帯端末５４０、携帯端末５５０は、携帯端末５００からの緊急通知及び緊急情報を受信する。緊急通知及び緊急情報を受信した携帯端末５２０、携帯端末５３０、携帯端末５４０、携帯端末５５０は、携帯電話機能を使って基地局６２０と公衆網６３０を経由して救助施設６４０又は警察署６６０、若しくは自宅６５０に通知し、通知を受けた救助施設６４０などから救助する人間が出動することになる。
【００６４】
以上のように、実施の形態５によれば、緊急モードの携帯端末５００は、周囲の携帯端末５２０，５３０，５４０，５５０に緊急通知及び緊急情報の送信のみを行い、救助センタ６４０への送信は緊急情報を受けた周囲の携帯端末が行うことで、緊急モードの携帯端末５００の電力消費を抑制することができる。また、緊急事態に陥った携帯端末５００の所有者が救助センタ６４０に救助を求めることができない場合であっても、緊急通知を受け取った携帯端末の所有者が救助センタ６４０に救助を求めることができる。
【００６５】
以上の説明は本発明の好適な実施の形態の例証であり、本発明の範囲はこれに限定されることはない。例えば、端末装置として携帯電話機に適用した例について説明しているが、携帯電話機に限らず情報通信機能を持ったＰＤＡ等の携帯情報端末、パーソナルコンピュータ又はその融合された装置に適用可能である。また、携帯端末には、限定されず、特に緊急情報を受ける端末装置は、設置型端末装置であってもよい。
【００６６】
また、図４、図６、図８、図１１及び図１２の救助例は一例であり、どのような形態でも構わない。
【００６７】
また、本実施の形態では携帯端末という名称を用いたが、これは説明の便宜上であり、通信端末、緊急連絡システム、防犯装置等であってもよいことは勿論である。
【００６８】
さらに、上記携帯端末を構成する各回路部、例えば緊急送信部１１０及び緊急受信部１１１等の種類、数及び接続方法などは前述した実施の形態に限られない。
【００６９】
また、以上説明した端末装置は、これら端末装置を機能させるためのプログラムでも実現される。このプログラムはコンピュータで読み取り可能な記録媒体に格納されている。
【産業上の利用可能性】
【００７０】
本発明に係る端末装置及び緊急通信システムは、緊急性の高い救助を迅速に行えるとともに、移動に伴って周囲に緊急状態を通知し続けることができるので、誘拐や暴行といった緊急性の高い通知システムの用途に有用である。
【図面の簡単な説明】
【００７１】
【図１】本発明の実施の形態１に係る携帯端末の構成を示すブロック図
【図２】上記実施の形態に係る携帯端末の制御シーケンスを示す図
【図３】上記実施の形態に係る携帯端末の救助の流れを示すフローチャート
【図４】本発明の実施の形態２に係る携帯端末の距離と移動速度を説明する図
【図５】上記実施の形態に係る携帯端末の動作を示すフローチャート
【図６】本発明の実施の形態３に係る携帯端末の緊急状態の優先表示を説明する図
【図７】上記実施の形態に係る携帯端末の制御シーケンスを示す図
【図８】本発明の実施の形態４に係る携帯端末の送信電力制御を説明する図
【図９】上記実施の形態に係る携帯端末の制御シーケンスを示す図
【図１０】上記実施の形態に係る携帯端末の動作を示すフローチャート
【図１１】本発明の実施の形態５に係る携帯端末を用いた緊急通知システムの構成を示す図
【図１２】従来の緊急連絡システムの概略構成を示す図
【図１３】従来の緊急連絡システムのそのシーケンスの概略を示す図
【図１４】従来の緊急警報付携帯電話端末の概略構成を示す図
【符号の説明】
【００７２】
１００，１２０，２００，２２０，３００，３２０，３３０，４００，４２０，５００，５２０，５３０，５４０，５５０  携帯端末
１０１  制御部
１０２  記憶部
１０３  携帯電話通信部
１０４  受信情報記憶部
１０５  キー入力部
１０６  表示装置
１０７  スピーカ
１０８  バイブレータ
１０９  緊急ボタン／表示部
１１０  緊急送信部
１１１  緊急受信部
【図１】
2006295295.tif 000003
【図２】
2006295295.tif 000004
【図３】
2006295295.tif 000005
【図４】
2006295295.tif 000006
【図５】
2006295295.tif 000007
【図６】
2006295295.tif 000008
【図７】
2006295295.tif 000009
【図８】
2006295295.tif 000010
【図９】
2006295295.tif 000011
【図１０】
2006295295.tif 000012
【図１１】
2006295295.tif 000013
【図１２】
2006295295.tif 000014
【図１３】
2006295295.tif 000015
【図１４】
2006295295.tif 000016